(57)【要約】【課題】ベッドの寝心地が低減する虞れを減少することができるとともに、椅子の座り心地が低減する虞れを減少することができるベッドの収納構造を提供する。【解決手段】ソファベッド（ベッド）３２は、ベッド本体３３と、ベッド本体に取り外し自在に設けた背凭れ３４とを備えている。そのソファベッドは、ソファ（椅子）に切り換える場合、ベッド本体の一部をキャビネット（収納手段）１２の天部１３の下方領域に配置する。一方、ベッドに切り換える場合には、キャビネットの下方領域から逸脱する位置にベッド本体を配置する。【選択図】        図３
2007068833.tif 000002
【特許請求の範囲】
【請求項１】
ベッド本体を備え、椅子に切り換え可能なベッドの収納構造において、
椅子に切り換える場合には、ベッド本体の一部を収納手段の下方領域に配置し、
ベッドに切り換える場合には、収納手段の下方領域から逸脱する位置にベッド本体を配置することを特徴とするベッドの収納構造。
【請求項２】
椅子に切り換えた場合にベッド本体に取り付けた背凭れを、ベッドに切り換えるときには、収納手段の下方領域に配置することを特徴とする請求項１に記載のベッドの収納構造。
【発明の詳細な説明】
【技術分野】
【０００１】
本発明は、椅子に切り換え可能なベッドの収納構造に関するものである。
【背景技術】
【０００２】
従来、この種のベッドの中には、ベッド本体と、ベッド本体に取り外し自在に設けた背凭れとを備えたソファベッドがある。
【０００３】
ベッド本体は、例えば平面視が、横方向の長さに比して縦方向の長さが長い直方体状に形成されている。
【０００４】
背凭れは、横方向の長さに比して縦方向の長さが長い直方体状で、横方向の長さがベッド本体の横方向の長さよりも短く、且つ縦方向の長さがベッド本体の縦方向の長さとほぼ同一となるよう形成されている。
【０００５】
このようなソファベッドをソファ（椅子）に切り換える場合には、ベッド本体上部の横方向の一方の端に背凭れを取り付け、ベッド本体の上部の一部を背凭れで覆う。
【０００６】
一方、ソファベッドをベッドに切り換える場合には、ベッド本体から背凭れを取り外す。
【０００７】
このソファベッドによれば、ベッドとしてもソファとしても使用することができる（例えば特許文献１参照）。
【０００８】
【特許文献１】実開昭５９−１４８６５６号公報
【発明の開示】
【発明が解決しようとする課題】
【０００９】
ところで、上記のようなベッドにおいて、ベッドの寝心地が良好となるようベッド本体を形成した場合には、椅子に切り換えたとき、ベッド本体上部の使用面積（座部として使用するベッド本体の上部の面積）が広く、ベッド本体上部の使用面積が広いことに起因して座り心地が低減する虞れがある。
【００１０】
仮に、椅子の座り心地が良好となるようベッド本体を形成した場合には、ベッドに切り換えたとき、ベッド本体の上部面積が狭く、ベッド本体の上部面積が狭いことに起因して
寝心地が低減する虞れがある。
【００１１】
本発明は、上記に鑑みてなされたものであって、ベッドの寝心地が低減する虞れを減少することができるとともに、椅子の座り心地が低減する虞れを減少することができるベッドの収納構造を提供することにある。
【課題を解決するための手段】
【００１２】
上述した課題を解決し、目的を達成するために、請求項１に係る発明は、ベッド本体を備え、椅子に切り換え可能なベッドの収納構造において、椅子に切り換える場合には、ベッド本体の一部を収納手段の下方領域に配置し、ベッドに切り換える場合には、収納手段の下方領域から逸脱する位置にベッド本体を配置することを特徴とする。
【００１３】
また、請求項２に係る発明は、上記請求項１に記載のベッドの収納構造において、椅子に切り換えた場合にベッド本体に取り付けた背凭れを、ベッドに切り換えるときには、収納手段の下方領域に配置することを特徴とする。
【発明の効果】
【００１４】
請求項１に係るベッドの収納構造によれば、椅子に切り換える場合、ベッド本体の一部を収納手段の下方領域に配置し、ベッドに切り換える場合、収納手段の下方領域から逸脱する位置にベッド本体を配置するので、ベッド本体の上部面積と、椅子に切り換えた場合のベッド本体上部の使用面積との差を増大することができる。従って、ベッドの寝心地が良好となるようベッド本体を形成した場合でも、椅子に切り換えたときには、ベッド本体の一部を収納手段の下方領域に配置するので、収納手段でベッド本体の一部を覆い、ベッド本体上部の使用面積が広いことに起因して座り心地が低減する虞れを減少することができる。しかも、ベッドに切り換えたときには、収納手段の下方領域から逸脱する位置にベッド本体を配置するので、ベッド本体の上部面積が狭いことに起因して寝心地が低減する虞れを減少することができる。
【００１５】
請求項２に係るソファベッドの収納構造によれば、椅子に切り換えた場合にベッド本体に取り付けた背凭れを、ベッドに切り換えるときには、収納手段の下方領域に配置するので、背凭れを収納することができる。よって、美観を損なうこともない。
【発明を実施するための最良の形態】
【００１６】
以下に添付図面を参照して、本発明に係るベッドの収納構造の好適な実施の形態について詳細に説明する。
【００１７】
［実施の形態１］
図１〜図２は、本発明の実施の形態１のソファベッド（ベッド）の収納構造を適用した部屋１０を示したものである。図示する部屋１０の内部の一方の端には、キャビネット１２を設けてある。部屋１０の中には、第１ベッド２９と第２ベッド３０とソファベッド（ベッド）３２と一人掛けソファ３６とを設けてある。
【００１８】
部屋１０を構成する壁１１は、図２に示すように、平面視が略コ字状となるように配置してある。具体的には、図中、下側に配置する第１の壁１１ａと、右側に配置する第２の壁１１ｂと、上側に配置する第３の壁１１ｃとを平面視が略コ字状となるように配置してある。これらの壁１１ａ，１１ｂ，１１ｃによって部屋１０は矩形状を成している。なお、第２の壁１１ｂと第３の壁１１ｃとの間には、柱１１ｄが設けてある。
【００１９】
キャビネット（収納手段）１２は、図４に示すように、第１の壁１１ａの上側に一端を配置し、その後、第１の壁１１ａ、第２の壁１１ｂ及び部屋１０の内部の柱１１ｄに沿い、且つ、他端が第３の壁１１ｃに接触するまで連続するよう設けることで、平面視が凹部１５を有する略コ字状となるよう形成してある。凹部１５は、ソファベッド３２をソファに切り換えた場合に、ソファベッド３２と一人掛けソファ３６とが入る大きさに形成してある。そのようなキャビネット１２は、図４及び図５に示すように、天部１３と側部１４とを備えている。
【００２０】
天部１３は、物を載置することができる強度に形成してあり、キャビネット１２の天面を構成する部分である。天部１３の高さは、図３に示すように、ソファ（椅子）に切り換えた場合のソファベッド３２の高さより少し低くなるよう形成してある。
【００２１】
側部１４は、図６に示すように、固定側部１６と第１移動側部１７とから構成されており、キャビネット１２の側面を構成する部分である。
【００２２】
固定側部１６は、壁１１ａ，１１ｂ，１１ｃ及び床に固定するよう設けた部分である。固定側部１６のうち、第２の壁１１ｂと平行に配置した固定側部１６には、矩形状の開口１６ａを設けてあり、その開口１６ａを塞ぐよう第１移動側部１７を設けてある。
【００２３】
第１移動側部１７は、側板１９が第２の壁１１ｂに対して平行にスライド移動するよう設けた部分であり、図６〜図９に示すように、構造部材１８と矩形状の側板１９と移動手段２０とから構成してある。
【００２４】
構造部材１８は、側板１９を支持する部材であり、第１棒状部材１８ａ、第２棒状部材１８ｂ、第３棒状部材１８ｃ、第４棒状部材１８ｄ及び第５棒状部材１８ｅで構成されている。
【００２５】
第１棒状部材１８ａは、側板１９の上端近傍に側板１９に沿う態様で、略水平方向に延在するよう配置している部材である。
【００２６】
第２棒状部材１８ｂ及び第３棒状部材１８ｃは、第１棒状部材１８ａの両端に連結する態様で、第１棒状部材１８ａに連結した個所から側板１９の奥側に向けて略水平に延在するよう配置している部材である。
【００２７】
第４棒状部材１８ｄ及び第５棒状部材１８ｅは、側板１９の両側端に側板１９に沿う態様で、略垂直方向に延在するよう配置している部材である。
【００２８】
側板１９は、板材を用いて形成してあり、回動軸１９ａを中心に手前側に回動するよう第１棒状部材１８ａ、第４棒状部材１８ｄ及び第５棒状部材１８ｅに取り付けてある。
【００２９】
移動手段２０は、走行体２１ａ，２１ｂとピニオンギア２２ａ，２２ｂとから構成されている。走行体２１ａ，２１ｂは、２つで一組を成している。走行体２１ａ，２１ｂは、側板１９の両側端に配置してあり、回転自在に取り付けたローラ２３を有しており、第４棒状部材１８ｄ、第５棒状部材１８ｅに取り付けてある。
【００３０】
ピニオンギア２２ａ，２２ｂは、２つで一組を成している。ピニオンギア２２ａ，２２ｂは、側板１９の両側端に配置してあり、取付板２４を介して第２棒状部材１８ｂ及び第３棒状部材１８ｃに回転自在に取り付けてある。
【００３１】
このような第１移動側部１７は、側板１９が第２の壁１１ｂに対して平行にスライド移動できるようキャビネット１２に取り付けてある。具体的には、キャビネット１２の内部に設けたガイドレール２６ａ，２６ｂに、第１移動側部１７に取り付けた走行体２１ａ，２１ｂをはめ込み、且つキャビネット１２の内部に設けたラックギア２７ａ，２７ｂと、第１移動側部１７に取り付けたピニオンギア２２ａ，２２ｂとが噛み合うよう第１移動側部１７をキャビネット１２に取り付けてある。
【００３２】
ガイドレール２６ａ，２６ｂは、断面が凹部２６Ａａ，２６Ｂａを有する略コ字状を成すよう棒状に形成してあり、凹部２６Ａａ，２６Ｂａが対向し、且つ第１移動側部１７の走行体２１ａ，２１ｂの間隔に対応するよう配置してある。このようなガイドレール２６ａ，２６ｂは、略水平となるよう一端を第２の壁１１ｂで支持してある。
【００３３】
ラックギア２７ａ，２７ｂは、棒状に形成してあり、第１移動側部１７のピニオンギア２２ａ，２２ｂの間隔に対応して配置してある。このようなラックギア２７ａ，２７ｂは、略水平となるよう一端を第２の壁１１ｂで支持してある。
【００３４】
なお、図には省略するが、キャビネット１２には、冷蔵庫が組み込まれているとともに、部屋１０の内部の明るさを調節することができるナイトランプが内蔵されている。
【００３５】
図１及び図２に示すように、第１ベッド２９及び第２ベッド３０は、シングルサイズのベッドであり、図２中、部屋１０の左側に配置してある。
【００３６】
ソファベッド３２は、図１〜図３に示すように、ベッド本体３３と背凭れ３４とを有しており、ベッドとソファ（椅子）とに切り換えることができる。ベッド本体３３は、ベッドに切り換えた場合に一人の人間が寝ることができる上部面積を有し、且つ平面視が、図２中、横方向の長さに比して縦方向の長さが長い直方体状に形成してある。
【００３７】
背凭れ３４は、横方向の長さに比して縦方向の長さが長い直方体状で、横方向の長さがベッド本体３３の横方向の長さよりも短く、且つ縦方向の長さがベッド本体３３の縦方向の長さとほぼ同一となるよう形成してある。
【００３８】
一人掛けソファ３６は、一人の人間が座ることができる大きさに形成してある。
【００３９】
このような部屋１０において、ソファベッド３２をソファに切り換える場合には、キャビネット１２の側板１９を奥側に押す。すると、ピニオンギア２２ａ，２２ｂとラックギア２７ａ，２７ｂとが噛合しながら、ラックギア２７ａ，２７ｂの上をピニオンギア２２ａ，２２ｂが移動するとともに、ガイドレール２６ａ，２６ｂに沿って走行体２１ａ，２１ｂが移動し、第２の壁１１ｂに対して側板１９が奥側に向けてスライド移動し、キャビネット１２の固定側部１６に開口１６ａが形成される。その後、開口１６ａには、ベッド本体３３の一部をはめ込む。換言すれば、キャビネット１２の天部１３の下方領域にベッド本体３３の一部を配置する。
【００４０】
その後、キャビネット１２の固定側部１６とベッド本体３３とで形成する隅に背凭れ３４をはめ込み、ベッド本体３３に背凭れ３４を取り付けてソファとして使用する。
【００４１】
もちろん、キャビネット１２及びベッド本体３３は、ベッド本体３３の上部面積から、キャビネット１２の天部１３で覆うベッド本体３３の一部の面積を引いたベッド本体３３の上部の使用面積（座部として使用するベッド本体３３の上部の面積）が、二人の人間が腰を掛けることができ、且つ腰を掛けた際の座り心地が良好となるよう形成してある。
【００４２】
一方、図１０〜図１２に示すように、ソファベッド３２をベッドに切り換える場合には、先ず、ベッド本体３３から背凭れ３４を取り外し、キャビネット１２の天部１３の下方領域から逸脱する位置にベッド本体３３を配置する。
【００４３】
次に、第１移動側部１７の側板１９を手前側に引く。すると、ピニオンギア２２ａ，２２ｂとラックギア２７ａ，２７ｂとが噛合しながら、ラックギア２７ａ，２７ｂの上をピニオンギア２２ａ，２２ｂが移動するとともに、ガイドレール２６ａ，２６ｂに沿って走行体２１ａ，２１ｂが移動して、第２の壁１１ｂに対して側板１９が手前側に向けてスライド移動する。側板１９は、第２の壁１１ｂと平行に配置した固定側部１６と側板１９とが同一の平面を形成するまでスライド移動する。その後、回動軸１９ａを中心に側板１９を手前側に回動し、キャビネット１２の天部１３の下方領域に背凭れ３４を配置した後、側板１９を元の位置にまで回動させる。
【００４４】
その後、例えばベッド本体３３をキャビネット１２の凹部１５に配置し、ソファベッド３２をベットとして使用する。
【００４５】
実施の形態１に係るソファベッド３２によれば、ベッドとしてもソファとしても使用することができる。しかも、ソファベッド３２をソファに切り換える場合には、ベッド本体３３の一部をキャビネット１２の天部１３の下方領域に配置し、ベッドに切り換える場合には、キャビネット１２の天部１３の下方領域から逸脱する位置にベッド本体３３を配置するので、ベッド本体３３の上部面積と、ソファに切り換えた場合のベッド本体３３の上部の使用面積との差を増大することができる。従って、ベッド本体３３の上部面積をベッドに切り換える際に合わせて形成した場合でも、ソファに切り換えたときには、ベッド本体３３の一部をキャビネット１２の天部１３の下方領域に配置してベッド本体３３の一部を天部１３で覆うので、ベッド本体３３の上部の使用面積が広くて座り心地が低減する虞れを減少することができる。しかも、ベッドに切り換えたときには、キャビネット１２の天部１３の下方領域から逸脱する位置にベッド本体３３を配置するので、ベッド本体３３の上部面積が狭くて寝心地が低減する虞れを減少することができる。加えて、ベッドに切り換えた場合には、ベッド本体３３から取り外した背凭れ３４をキャビネット１２の天部１３の下方領域に配置し、背凭れ３４を収納することができる。よって、部屋１０の美観を損なうこともない。さらに、ソファベッド３２をベッドに切り換え、ベッド本体３３をキャビネット１２の凹部１５に配置した場合には、キャビネット１２の天部１３をヘッドボード又はサイドボードとして使用することができる。さらに、部屋１０は、ベッドの数を２つから３つに変更することができる。
【００４６】
［実施の形態２］
図１３及び図１４は、本発明の実施の形態２のソファベッド（ベッド）の収納構造を適用した部屋１０ａを示したものである。図示する部屋１０ａにおいて、図１〜図３に示した部屋１０と同一のものには同一の符号を付して説明を省略する。
【００４７】
図示する部屋１０ａの内部の一方の端には、キャビネット１２ａを設けてある。部屋１０ａの中には、第１ベッド２９と第２ベッド３０と一人掛けソファ３６と第１ソファベッド（ベッド）４０と第２ソファベッド（ベッド）５０とを設けてある。
【００４８】
キャビネット（収納手段）１２ａは、図１５に示すように、天部１３ａと側部１４ａとを備え、図４〜図９に示したキャビネット１２が有する構成に加え、第１の壁１１ａに沿って図中左方向に突出する突出部１２ａａを備えている。凹部１５ａは、第１ソファベッド４０をソファに切り換えた場合に、第１ソファベッド４０と一人掛けソファ３６とが入る大きさに形成してある。
【００４９】
天部１３ａは、物を載置することができる強度に形成してあり、キャビネット１２ａの天面を構成する部分である。天部１３ａの高さは、ソファ（椅子）に切り換えた場合の第１ソファベッド４０の高さより少し低くなり、且つソファ（椅子）に切り換えた場合の第２ソファベッド５０の高さより少し低くなるよう形成してある。
【００５０】
側部１４ａは、固定側部１６ａＡと第１移動側部１７と第２移動側部１７ａとから構成されており、キャビネット１２ａの側面を構成する部分である。
【００５１】
突出部１２ａａの固定側部１６ａＡには、開口１６ｂが設けてある。この開口１６ｂは、上述した開口１６ａと同一形状で、且つ同一の大きさに形成してある。
【００５２】
この開口１６ｂには、開口１６ｂを塞ぐよう第２移動側部１７ａを設けてある。第２移動側部１７ａは、上述した第１移動側部１７と同様の構成を有しており、不図示の側板が第１の壁１１ａに対して平行にスライド移動できるようキャビネット１２ａに取り付けてある。
【００５３】
なお、図には省略するが、キャビネット１２ａには、冷蔵庫が組み込まれているとともに、部屋１０ａの内部の明るさを調節することができるナイトランプが内蔵されている。
【００５４】
第１ソファベッド４０は、図１３及び図１４に示すように、ベッド本体４１と背凭れ４２とを有しており、第２ソファベッド５０はベッド本体５１と背凭れ５２とを有している。それら第１ソファベッド４０と第２ソファベッド５０とは、ベッドとソファ（椅子）とに切り換えが可能である。
【００５５】
ベッド本体４１，５１は、ベッドに切り換えた場合に一人の人間が寝ることができる上部面積を有している。ベッド本体４１は、平面視が、横方向の長さに比して縦方向の長さが長い直方体状に形成してある。一方、ベッド本体５１は、平面視が、縦方向の長さに比して横方向の長さが長い直方体状に形成してある。なお、ベッド本体４１とベッド本体５１との大きさは同一である。
【００５６】
背凭れ４２は、横方向の長さに比して縦方向の長さが長い直方体状で、横方向の長さがベッド本体４１の横方向の長さよりも短く、且つ縦方向の長さがベッド本体４１の縦方向の長さとほぼ同一となるよう形成してある。
【００５７】
背凭れ５２は、縦方向の長さに比して横方向の長さが長い直方体状で、縦方向の長さがベッド本体５１の縦方向の長さよりも短く、且つ横方向の長さがベッド本体５１の横方向の長さとほぼ同一となるよう形成してある。
【００５８】
なお、背凭れ４２，５２は、第１ソファベッド４０及び第２ソファベッド５０をソファに切り換える場合に、Ｌ字形に配置できる態様に形成してある。
【００５９】
このような部屋１０ａにおいて、第１ソファベッド４０と第２ソファベッド５０とをソファに切り換える場合には、キャビネット１２ａの移動側部１７，１７ａの側板を奥側にそれぞれ押す。すると、固定側部１６ａＡには、開口１６ａ，１６ｂが形成される。その後、開口１６ａには第１ソファベッド４０のベッド本体４１の一部をはめ込み、開口１６ｂには、第２ソファベッド５０のベッド本体５１の一部をはめ込む。換言すれば、キャビネット１２ａの天部１３ａの下方領域にベッド本体４１，５１の一部を配置する。
【００６０】
その後、キャビネット１２ａの固定側部１６ａＡとベッド本体４１，５１とで形成する隅に背凭れ４２，５２をはめ込み、ベッド本体４１，５１に背凭れ４２，５２を取り付け、ソファとして使用する。
【００６１】
もちろん、キャビネット１２ａ及びベッド本体４１，５１は、ベッド本体４１，５１の上部面積から、キャビネット１２ａの天部１３ａで覆うベッド本体４１，５１の一部の面積を引いたベッド本体４１，５１の上部の使用面積（座部として使用するベッド本体４１，５１の上部の面積）が、二人の人間が腰を掛けることができ、且つ腰を掛けた際の座り心地が良好となるようそれぞれ形成してある。
【００６２】
一方、図１６及び図１７に示すように、第１ソファベッド４０及び第２ソファベッド５０をベッドに切り換える場合には、先ず、ベッド本体４１，５１から背凭れ４２，５２を取り外し、キャビネット１２ａの天部１３ａの下方領域から逸脱する位置にベッド本体４１，５１を配置する。
【００６３】
次に、第１移動側部１７の側板は、第２の壁１１ｂと平行に配置した固定側部１６ａＡと側板とが同一の平面となるまで手前側に引く。さらに、第２移動側部１７ａの側板も、第１の壁１１ａと平行に配置した固定側部１６ａＡと側板とが同一の平面となるまで手前側に引く。
【００６４】
その後、不図示の回動軸を中心に側板を手前側に回動し、キャビネット１２ａの天部１３ａの下方領域に背凭れ４２，５２を配置した後、側板を元の位置に戻す。
【００６５】
その後、例えば第１ソファベッド４０のベッド本体４１をキャビネット１２ａの凹部１５ａに配置し、第２ソファベッド５０のベッド本体５１をベッド本体４１の隣に、ベッド本体４１とベッド本体５１とが平行となるよう配置してソファベッド４０，５０をベッドとして使用する。
【００６６】
実施の形態２に係るソファベッド４０，５０によれば、ベッドとしてもソファとしても使用することができる。しかも、ソファベッド４０，５０をソファとして使用する場合には、ベッド本体４１，５１の一部をキャビネット１２ａの天部１３ａの下方領域に配置し、ベッドとして使用する場合には、キャビネット１２ａの天部１３ａの下方領域から逸脱する位置にベッド本体４１，５１を配置するので、ベッド本体４１，５１の上部面積と、ソファに切り換えた場合のベッド本体４１，５１の上部の使用面積との差を増大することができる。従って、ベッド本体４１，５１の上部面積をベッドに切り換える際に合わせて形成した場合でも、ソファに切り換えたときには、ベッド本体４１，５１の一部をキャビネット１２ａの天部１３ａの下方領域に配置するので、ベッド本体４１，５１の上部の使用面積が広くて座り心地が低減する虞れを減少することができる。しかも、ベッドに切り換えたときには、キャビネット１２ａの天部１３ａの下方領域から逸脱する位置にベッド本体４１，５１を配置するので、ベッド本体４１，５１の上部面積が狭くて寝心地が低減する虞れを減少することができる。加えて、ベッドに切り換えた場合には、ベッド本体４１，５１から取り外した背凭れ４２，５２をキャビネット１２ａの天部１３ａの下方領域に配置し、背凭れ４２，５２を収納することができる。よって、部屋１０ａの美観を損なうこともない。さらに、第１ソファベッド４０をベッドに切り換え、ベッド本体４１をキャビネット１２ａの凹部１５ａに配置した場合には、キャビネット１２ａの天部１３ａをヘッドボード又はサイドボードとして使用することができる。また、第２ソファベッド５０をベッドに切り換え、ベッド本体５１を、凹部１５ａに配置したベッド本体４１の隣に配置した場合には、キャビネット１２ａの天部１３ａをヘッドボードとして使用することができる。しかも、第１ソファベッド４０のベッド本体４１と第２ソファベッドのベット５１本体とを同一形状に形成すれば、第１ソファベッド４０と第２ソファベッドとをツインベッドとして使用することができる。さらに、部屋１０ａは、ベッドの数を２つから４つの範囲で変更することができる。
【図面の簡単な説明】
【００６７】
【図１】本発明の実施の形態１のソファベッドの収納構造を適用した部屋を説明する斜視図である。
【図２】図１に示した部屋の平面図である。
【図３】図２におけるＡ−Ａ線での断面図である。
【図４】図１に示す部屋に設けたキャビネットを示す平面図である。
【図５】図４におけるＢ部の拡大平面図である。
【図６】図５における矢視Ｃ方向からの正面図である。
【図７】図６におけるＤ１部の拡大図である。
【図８】図６におけるＤ２部の拡大図である。
【図９】図６におけるＥ−Ｅ線での断面図である。
【図１０】図１に示すソファベッドをベッドに切り換えた場合を示す斜視図である。
【図１１】図１に示すソファベッドをベッドに切り換えた場合を示す平面図である。
【図１２】図１０におけるＦ−Ｆ線での断面図である。
【図１３】本発明の実施の形態２のソファベッドの収納構造を適用した部屋を説明する斜視図である。
【図１４】図１３に示した部屋の平面図である。
【図１５】図１３に示す部屋に設けたキャビネットを示す平面図である。
【図１６】図１３に示すソファベッドをベッドに切り換えた場合を示す斜視図である。
【図１７】図１３に示すソファベッドをベッドに切り換えた場合を示す平面図である。
【符号の説明】
【００６８】
１２  キャビネット（収納手段）
１２ａ  キャビネット（収納手段）
３２  ソファベッド（ベッド）
３３  ベッド本体
３４  背凭れ
４０  ソファベッド（ベッド）
４１  ベッド本体
４２  背凭れ
５０  ソファベッド（ベッド）
５１  ベッド本体
５２  背凭れ
【図１】
2007068833.tif 000003
【図２】
2007068833.tif 000004
【図３】
2007068833.tif 000005
【図４】
2007068833.tif 000006
【図５】
2007068833.tif 000007
【図６】
2007068833.tif 000008
【図７】
2007068833.tif 000009
【図８】
2007068833.tif 000010
【図９】
2007068833.tif 000011
【図１０】
2007068833.tif 000012
【図１１】
2007068833.tif 000013
【図１２】
2007068833.tif 000014
【図１３】
2007068833.tif 000015
【図１４】
2007068833.tif 000016
【図１５】
2007068833.tif 000017
【図１６】
2007068833.tif 000018
【図１７】
2007068833.tif 000019